(57)【要約】【課題】簡易な構成でありながら、撮影光学系の光路から退避させるブレ補正光学系の移動量を抑制することで径方向の肥大化を回避するとともに、ブレ補正光学系の退避軌道を安定させることでブレ補正機構と非退避レンズとの接触を回避することができるレンズ鏡筒を提供する。【解決手段】カム面１３２ｂがカムピン１５０に押圧されると、レンズ保持枠１３１は、ブレ補正移動枠１４０の当付け部１４０ａから離れ、ガイド面１１２ａに対して押し付けられた状態で摺動しながら光軸Ｏの位置から退避する。このとき、レンズ保持部１３１はガイド面１１２ａからの反力を受ける。この反力が、フレーム部１３２を介してブレ補正移動枠１４０に伝わり、ブレ補正移動枠１４０をガイド面１１２ａに対して略直交する方向へ移動させる。【選択図】図２−３
2014126714.tif 000002
【特許請求の範囲】
【請求項１】
ベース部と、
前記ベース部に対して、光軸と略直交する方向に移動可能に支持される可動部と、
シフトレンズを保持して前記可動部に軸支され、前記シフトレンズを光軸と略直交する方向に移動させることで撮影状態と非撮影状態との切替えを行うレンズ枠と、
を備えたレンズ鏡筒であって、
前記ベース部には、ガイド部が設けられ、撮影状態から非撮影状態への切り替えの際、前記レンズ枠は、前記ガイド部のガイドにより移動されることで、前記レンズ枠の回動軸が光軸から離間するよう移動されることを特徴とするレンズ鏡筒。
【請求項２】
前記可動部の移動範囲を規制する規制手段を備え、
撮影状態では、前記レンズ枠が前記規制手段により、前記レンズ枠の移動範囲が規制され、前記ガイド部とは非接触であることを特徴とする請求項１に記載のレンズ鏡筒。
【請求項３】
撮影状態から非撮影状態への切り替えの際、前記レンズ枠の一部が前記ガイド部に当て付けられ、前記レンズ枠の一部が前記ガイド部に対して摺動しながら移動することを特徴とする請求項１または２に記載のレンズ鏡筒。
【請求項４】
前記ガイド部は、光軸方向に沿って前記レンズ枠側に突出するように形成され、
撮影状態から非撮影状態への切り替えの際、前記レンズ枠の外周面が前記ガイド部の摺動面に当て付けられ、前記レンズ枠の外周面が前記ガイド部の摺動面に対して点接触した状態で摺動しながら移動することを特徴とする請求項１〜３のいずれか一つに記載のレンズ鏡筒。
【請求項５】
前記可動部には、前記レンズ枠と当接可能な当接部が設けられ、
前記ガイド部からの反力により、前記当接部が光軸から離間するよう移動されることを特徴とする請求項３または４に記載のレンズ鏡筒。
【請求項６】
前記規制手段は、前記ベース部に設けられた規制部もしくは被規制部と、前記可動部に設けられた被規制部もしくは規制部によって形成され、
非撮影状態では、前記レンズ枠は、前記被規制部と前記規制部との当接および前記レンズ枠と前記ガイド部との当接により、位置決めされていることを特徴とする請求項２〜５のいずれか一つに記載のレンズ鏡筒。
【請求項７】
ベース部と、
前記ベース部に対して光軸と直交する方向に移動可能に支持される可動部と、
シフトレンズを保持して前記可動部に軸支され、前記シフトレンズを光軸と直交する方向に移動させることで撮影状態と非撮影状態との切り替えを行うレンズ枠と、
を備えたレンズ鏡筒であって、
前記ベース部には、ガイド部が設けられ、
前記可動部には、前記レンズ枠と当接可能な当接部が設けられ、
撮影状態から非撮影状態への切り替えの際、前記レンズ枠の一部が前記ガイド部に当て付けられ、前記レンズ枠の一部が前記ガイド部に対して摺動しながら移動することで、前記ガイド部からの反力により、前記可動部の前記当接部が光軸から離間するよう移動されることを特徴とするレンズ鏡筒。
【請求項８】
ベース部と、
前記ベース部に対して光軸と直交する方向に移動可能に支持される可動部と、
シフトレンズを保持して前記可動部に軸支され、前記シフトレンズを光軸と直交する方向に移動させることで撮影状態と非撮影状態との切り替えを行うレンズ枠と、
を備えたレンズ鏡筒であって、
前記ベース部には、前記シフトレンズが所定の軌跡に沿って移動するように前記レンズ枠を案内するガイド部が設けられていることを特徴とするレンズ鏡筒。
【請求項９】
請求項１〜８のいずれか一つに記載のレンズ鏡筒と、
撮像素子を備えたことを特徴とする撮像装置。
【発明の詳細な説明】
【技術分野】
【０００１】
本発明は、撮影状態（伸長状態）から非撮影状態（沈胴状態）へ移行する際に、撮影光学系を構成する一部のレンズ群を撮影光学系の光路から退避させ、非撮影状態時の全長を短縮するレンズ鏡筒およびそのレンズ鏡筒を備えた撮像装置に関する。
【背景技術】
【０００２】
複数のレンズ群を備えたレンズ鏡筒において、撮影状態（伸長状態）から非撮影状態（沈胴状態）へ移行するときの動作に連動させて、所定のレンズ群を撮影光学系の光路から退避させることで、非撮影状態時のレンズ鏡筒の全長の短縮を実現する技術が種々提案されている。
【０００３】
近年、光学式のブレ補正機能を備えたレンズ鏡筒が普及してきているが、各レンズ群の構成によってはブレ補正機能を担うブレ補正光学系を退避させなければならない場合があり、このための技術がいくつか提案されている（たとえば、特許文献１，２を参照。）。
【先行技術文献】
【特許文献】
【０００４】
【特許文献１】特開２００７−１０１９９３号公報
【特許文献２】特許第４７７５０１０号公報
【発明の概要】
【発明が解決しようとする課題】
【０００５】
非撮影状態に撮影光学系を構成する一部のレンズ群を撮影光学系の光路から退避させるレンズ鏡筒においては、撮影状態（伸長状態）から非撮影状態（沈胴状態）へ移行するときの動作に連動させて、所定のレンズ群を光路上から退避させるため、一連の動作の途中で、退避レンズ群が非退避レンズ群と接触するおそれがある。
【０００６】
かかる不都合は、特許文献１，２に記載のレンズ鏡筒においても例外ではない。上記特許文献に記載のレンズ鏡筒では、撮影光学系の光路から退避させるブレ補正光学系の位置決めはブレ補正光学系を保持するレンズ枠の軸部でのみ行っている。このため、ブレ補正光学系の位置が不安定になりやすく、沈胴状態へ移行する過程におけるブレ補正光学系の位置ブレが生じやすい。したがって、沈胴状態への移行途中で、ブレ補正光学系が非退避レンズ群と接触するおそれを排除できない。
【０００７】
かかる不都合は、非撮影状態におけるブレ補正光学系の移動量を十分に確保することで回避することはできる。しかし、ブレ補正光学系の移動量を十分に確保するためには、レンズ鏡筒内部のブレ補正光学系の移動領域を広くとることが必要になり、レンズ鏡筒の径方向の大型化を招くという問題が発生する。また、ブレ補正光学系が大きく移動する場合、他のレンズ群に対するブレ補正光学系の位相ズレが生じやすくなるという問題も発生する。
【０００８】
また、特許文献２に記載のレンズ鏡筒では、撮影状態から非撮影状態への切替え動作が行われていない場合でも、ブレ補正光学系を含むブレ補正駆動部に対して常に通電されているため、消費電力が嵩むという問題がある。
【０００９】
さらに、このレンズ鏡筒では、非撮影状態においても、非退避レンズ群との接触を回避するため、高精度の位置検出センサを用いてブレ補正駆動部の位置を制御しなければならない。加えて、移動部の拘束のために、回転補助部材と同じ長さのガイド部材が少なくとも一つは必要である。このように、特許文献２に記載のレンズ鏡筒は複雑な構成になっている。
【００１０】
本発明は、上述した従来技術による問題点を解消するため、簡易な構成でありながら、撮影光学系の光路から退避させるブレ補正光学系の移動量を抑制することで径方向の肥大化を回避するとともに、ブレ補正光学系の退避軌道を安定させることでブレ補正機構と非退避レンズとの接触を回避することができるレンズ鏡筒を提供することを目的とする。また、省電力化が図られたレンズ鏡筒を提供することも本発明の目的である。
【課題を解決するための手段】
【００１１】
上述した課題を解決し、目的を達成するため、本発明にかかるレンズ鏡筒は、ベース部と、前記ベース部に対して、光軸と略直交する方向に移動可能に支持される可動部と、シフトレンズを保持して前記可動部に軸支され、前記シフトレンズを光軸と略直交する方向に移動させることで撮影状態と非撮影状態との切替えを行うレンズ枠と、を備えたレンズ鏡筒であって、前記ベース部には、ガイド部が設けられ、撮影状態から非撮影状態への切り替えの際、前記レンズ枠は、前記ガイド部のガイドにより移動されることで、前記レンズ枠の回動軸が光軸から離間するよう移動されることを特徴とする。
【００１２】
さらに、本発明にかかる本発明にかかるレンズ鏡筒は、前記発明において、前記可動部の移動範囲を規制する規制手段を備え、撮影状態では、前記レンズ枠が前記規制手段により、前記レンズ枠の移動範囲が規制され、前記ガイド部とは非接触であることを特徴とする。
【００１３】
さらに、本発明にかかる本発明にかかるレンズ鏡筒は、前記発明において、撮影状態から非撮影状態への切替えの際、前記レンズ枠の一部が前記ガイド部に当て付けられ、前記レンズ枠の一部が前記ガイド部に対して摺動しながら移動することを特徴とする。
【００１４】
さらに、本発明にかかる本発明にかかるレンズ鏡筒は、前記発明において、前記ガイド部が、光軸方向に沿って前記レンズ枠側に突出するように形成され、撮影状態から非撮影状態への切り替えの際、前記レンズ枠の外周面が前記ガイド部の摺動面に当て付けられ、前記レンズ枠の外周面が前記ガイド部の摺動面に対して点接触した状態で摺動しながら移動することを特徴とする。
【００１５】
さらに、本発明にかかる本発明にかかるレンズ鏡筒は、前記発明において、前記可動部には、前記レンズ枠と当接可能な当接部が設けられ、前記ガイド部からの反力により、前記当接部が光軸から離間するよう移動されることを特徴とする。
【００１６】
さらに、本発明にかかる本発明にかかるレンズ鏡筒は、前記発明において、前記規制手段が、前記ベース部に設けられた規制部もしくは被規制部と、前記可動部に設けられた被規制部もしくは規制部によって形成され、非撮影状態では、前記レンズ枠は、前記被規制部と前記規制部との当接および前記レンズ枠と前記ガイド部との当接により、位置決めされていることを特徴とする。
【００１７】
また、本発明にかかる本発明にかかるレンズ鏡筒は、ベース部と、前記ベース部に対して光軸と直交する方向に移動可能に支持される可動部と、シフトレンズを保持して前記可動部に軸支され、前記シフトレンズを光軸と直交する方向に移動させることで撮影状態と非撮影状態との切り替えを行うレンズ枠と、を備えたレンズ鏡筒であって、前記ベース部には、ガイド部が設けられ、前記可動部には、前記レンズ枠と当接可能な当接部が設けられ、撮影状態から非撮影状態への切り替えの際、前記レンズ枠の一部が前記ガイド部に当て付けられ、前記レンズ枠の一部が前記ガイド部に対して摺動しながら移動することで、前記ガイド部からの反力により、前記可動部の前記当接部が光軸から離間するよう移動されることを特徴とする。
【００１８】
また、本発明にかかる本発明にかかるレンズ鏡筒は、ベース部と、前記ベース部に対して光軸と直交する方向に移動可能に支持される可動部と、シフトレンズを保持して前記可動部に軸支され、前記シフトレンズを光軸と直交する方向に移動させることで撮影状態と非撮影状態との切り替えを行うレンズ枠と、を備えたレンズ鏡筒であって、前記ベース部には、前記シフトレンズが所定の軌跡に沿って移動するように前記レンズ枠を案内するガイド部が設けられていることを特徴とする。
【００１９】
また、本発明にかかる撮像装置は、上記のレンズ鏡筒と、撮像素子を備えたことを特徴とする。
【発明の効果】
【００２０】
本発明にかかるレンズ鏡筒は、簡易な構成でありながら、撮影光学系の光路から退避させるブレ補正光学系の移動量を抑制することで径方向の肥大化を回避するとともに、ブレ補正光学系の退避軌道を安定させることでブレ補正機構（ブレ補正光学系もしくは可動部）と非退避レンズとの接触を回避することができるという効果を奏する。このため、撮影状態と非撮影状態との切替えをスムーズに行うことができる。また、本発明にかかるレンズ鏡筒は、ブレ補正制御を除き、撮影状態と非撮影状態との切替えを実行する場合以外は、電気的に制御する必要はないので、省電力化を図ることができる。
【図面の簡単な説明】
【００２１】
【図１】本発明の実施の形態にかかるレンズ鏡筒に搭載されるブレ補正光学系退避機構の構成を示す図である。
【図２−１】本発明の実施の形態にかかるレンズ鏡筒が撮影可能状態にある場合のブレ補正光学系退避機構１００の態様を示す図である。
【図２−２】本発明の実施の形態にかかるレンズ鏡筒が撮影可能状態から非撮影状態へ移行する過程にある場合のブレ補正光学系退避機構１００の態様を示す図である。
【図２−３】本発明の実施の形態にかかるレンズ鏡筒が非撮影状態にある場合のブレ補正光学系退避機構１００の態様を示す図である。
【発明を実施するための形態】
【００２２】
以下、添付図面を参照して、本発明にかかるレンズ鏡筒および撮像装置の好適な実施の形態を詳細に説明する。
【００２３】
本実施の形態にかかるレンズ鏡筒は、たとえば、撮像素子を備えたデジタルスチルカメラやデジタルビデオカメラに用いられるものである。このレンズ鏡筒は、撮影光学系を構成する複数のレンズ群を備えており、各レンズ群の間隔を変化させることにより変倍を行う。また、複数のレンズ群のうちの一つにブレ補正光学系として機能をもたせている。ブレ補正光学系は、光軸に対して略垂直方向へ移動（偏芯）することによって、手ぶれなどによる光学系の振動時に生じる像ブレの補正を行うものである。
【００２４】
また、本実施の形態にかかるレンズ鏡筒は、ブレ補正光学系を撮影光学系の光路から退避させるブレ補正光学系退避機構を備えている。このブレ補正光学系退避機構は、撮影状態（伸長状態）から非撮影状態（沈胴状態）へ移行するときの動作に連動して、ブレ補正光学系を撮影光学系の光路から退避させる。そして、このレンズ鏡筒は、当該ブレ補正光学系の退避によって生じた空間に一部の変倍レンズ群を挿入することにより、非撮影状態時における全長を短縮する。
【００２５】
図１は、本発明の実施の形態にかかるレンズ鏡筒に搭載されるブレ補正光学系退避機構の構成を示す図である。同図は、物体（不図示）側から見た態様を示している。ブレ補正光学系退避機構１００は、ベース部１１０と、ブレ補正光学系１２０と、レンズ枠１３０と、ブレ補正移動枠１４０と、を備えている。
【００２６】
ベース部１１０は、ブレ補正移動枠１４０を保持する枠部材である。このベース部１１０は、撮影光学系（不図示）の光軸Ｏに沿う方向に移動可能で、かつ光軸Ｏと略直交する方向には移動しないように、レンズ鏡筒（不図示）の内径側に設けられたカム部材（不図示）等により支持されている。
【００２７】
また、ベース部１１０には、ブレ補正移動端ボス１１１と、ガイド部１１２が形成されている。ブレ補正移動端ボス１１１は、後述するブレ補正移動枠１４０に形成されたブレ補正移動端とともに、ブレ補正移動枠１４０の移動範囲を規制する規制手段を構成している。また、ガイド部１１２は、退避時のレンズ枠１３０の移動方向を案内する案内手段である。ガイド部１１２は、光軸方向に沿ってレンズ枠１３０側に突出しつつ、ベース部１１０の内径側面から突出するように形成され、その先端に近づくにつれて徐々に細くなるようなテーパ形状になっている。ガイド部１１２による案内動作は後述する。
【００２８】
ブレ補正光学系１２０は、レンズ鏡筒に加わった振動に応じて光軸Ｏと略直交する方向に変位することによって結像面における像ブレを低減させる。
【００２９】
レンズ枠１３０は、レンズ保持部１３１と、レンズ保持部１３１から延びるフレーム部１３２とから構成されている。レンズ保持部１３１は、ブレ補正光学系１２０を保持する。フレーム部１３２には、レンズ枠回転穴１３２ａが形成されている。このレンズ枠回転穴１３２ａに後述するブレ補正移動枠１４０に突設されたレンズ枠回転軸を挿入することにより、レンズ枠１３０がブレ補正移動枠１４０に対して回動可能に軸支される。また、フレーム部１３２の先端部の像側面には、光軸Ｏに沿う方向の高さがレンズ枠回転穴１３２ａの周回りの角度に応じて連続的に変化するカム面１３２ｂが形成されている。
【００３０】
このカム面１３２ｂが、レンズ鏡筒の沈胴動作に付随して、ベース部１１０以外のレンズ鏡筒を構成する移動もしくは非移動部材からカム面１３２ｂの方向に延びるカムピン１５０に押圧されることによって、レンズ枠１３０のレンズ保持部１３１がブレ補正移動枠１４０から離れる方向に移動することになる（詳細は後述）。
【００３１】
ブレ補正移動枠１４０は、略コの字形状の当付け部１４０ａが設けられた板状の部材によって形成されている。ブレ補正移動枠１４０は、ベース部１１０によって、光軸Ｏと略直交する方向を移動可能に支持されている。このブレ補正移動枠１４０は、公知のブレ補正制御によって、撮影状態におけるピッチング方向およびヨーイング方向のブレに対するブレ補正制御を行う機能を有している。ここで、ピッチングとは、光軸Ｏと略直交しかつ撮影状態において水平方向に延在する軸回りのレンズ鏡筒の回転のことである。一方、ヨーイングとは、光軸Ｏと略直交しかつ撮影状態において鉛直方向に延在する軸回りのレンズ鏡筒の回転のことである。
【００３２】
ブレ補正移動枠１４０は、第１アクチュエータ１４１ａおよび第２アクチュエータ１４１ｂを備えている。第１アクチュエータ１４１ａ、第２アクチュエータ１４１ｂは、いずれもコイル、マグネット、ヨーク等で構成されている。第１アクチュエータ１４１ａ、第２アクチュエータ１４１ｂは、それぞれ光軸Ｏに対して下側および側方に設けられ、互いに光軸Ｏ周りの９０°離間した位置に配置されている。
【００３３】
第１アクチュエータ１４１ａおよび第２アクチュエータ１４１ｂは、いずれもブレ補正制御部（不図示）からの制御信号に応じてブレ補正移動枠１４０を光軸Ｏと略直交する方向に駆動させるものである。第１アクチュエータ１４１ａはピッチング方向のブレ補正を行うものであり、第２アクチュエータ１４１ｂは、ヨーイング方向のブレ補正を行うものである。
【００３４】
また、ブレ補正移動枠１４０には、第１位置センサ１４２ａと、第２位置センサ１４２ｂが設けられている。第１位置センサ１４２ａ、第２位置センサ１４２ｂは、いずれもホール素子とマグネットとを備え、ブレ補正移動枠１４０のベース部１１０に対する変位に起因してホール素子が検出する磁界の強さの変化に基づき、ベース部１１０に対するブレ補正移動枠１４０の位置を検出する。第１位置センサ１４２ａは、第２アクチュエータ１４１ｂの上側領域に配置され、ピッチング方向の位置を検出する。第２位置センサ１４２ｂは、第２アクチュエータ１４１ｂに対して光軸Ｏを挟んだ反対側領域の第１アクチュエータ１４１ａの側部に配置され、ヨーイング方向の位置を検出する。
【００３５】
また、ブレ補正移動枠１４０の物体側面には、光軸Ｏに対して平行に延びるレンズ枠回転軸１４３が突設されている。レンズ枠回転軸１４３にねじりコイルばねで構成された付勢部材１４４を嵌め込み、さらにレンズ枠回転軸１４３にレンズ枠１３０のフレーム部１３２に形成されたレンズ枠回転穴１３２ａを嵌め込む。このとき、付勢部材１４４の一端をフレーム部１３２の側面に当接させ、付勢部材１４４の他端をブレ補正移動枠１４０に設けられたばね止め１４５に当接させる。このようにすることにより、レンズ枠１３０は常に反時計回りの方向（図の矢印アの方向）へ付勢される。撮影状態ではレンズ枠１３０のレンズ保持部１３１がブレ補正移動枠１４０の当付け部１４０ａのみに当て付けられ、ブレ補正移動枠１４０に対してブレ補正光学系１２０の位置決めがなされる。光軸方向から見た場合は、レンズ枠１３０がブレ補正移動枠１４０の当付け部１４０ａとガイド部１１２のガイド面１１２ａとに挟まれている。
【００３６】
また、ブレ補正移動枠１４０には、矩形のブレ補正移動端１４６が形成されている。このブレ補正移動端１４６にベース部１１０に形成されたブレ補正移動端ボス１１１が挿入され、ブレ補正移動枠１４０の移動範囲を規制する規制手段が構成される。すなわち、ベース部１１０に対してブレ補正移動枠１４０が移動されるとき、ブレ補正移動端ボス１１１がブレ補正移動端１４６の縁部に当接することで、ベース部１１０に対するブレ補正移動枠１４０の移動範囲が規制され、ブレ補正移動枠１４０の位置決めがなされる。
【００３７】
この規制手段があることによって、ブレ補正移動枠１４０がガイド部１１２を含むベース部１１０の内径側面と接触することを回避するとともに、撮影可能状態におけるレンズ保持部１３１とガイド部１１２との接触を回避することができる。このため、撮影可能状態におけるブレ補正移動枠１４０およびレンズ枠１３０の光軸Ｏに対して略直交する方向への移動がスムーズになり、ブレ補正動作に支障をきたすことはない。
【００３８】
次に、本実施の形態にかかるレンズ鏡筒における撮影可能状態（伸長状態）から非撮影状態（沈胴状態）へ移行する際の動作について説明する。図２−１は、本発明の実施の形態にかかるレンズ鏡筒が撮影可能状態にある場合のブレ補正光学系退避機構１００の態様を示す図である。図２−２は、本発明の実施の形態にかかるレンズ鏡筒が撮影可能状態から非撮影状態へ移行する過程にある場合のブレ補正光学系退避機構１００の態様を示す図である。図２−３は、本発明の実施の形態にかかるレンズ鏡筒が非撮影状態にある場合のブレ補正光学系退避機構１００の態様を示す図である。なお、いずれの図もすべて物体側（不図示）から見た態様を示している。
【００３９】
図２−１に示すように、撮影可能状態では、レンズ鏡筒は伸長しているため、レンズ枠１３０のフレーム部１３２に形成されたカム面１３２ｂをカムピン１５０が押圧していない。したがって、レンズ枠１３０のレンズ保持部１３１が付勢部材１４４の付勢力によってブレ補正移動枠１４０の当付け部１４０ａに当て付けられ、ブレ補正移動枠１４０に対してブレ補正光学系１２０の位置決めがなされる。
【００４０】
さらに、撮影状態では、レンズ枠１３０のレンズ保持部１３１がガイド部１１２に最も近づくように、図２−１に示すように、ブレ補正移動枠１４０を移動させることでブレ補正移動端ボス１１１がブレ補正移動端１４６の右下縁部に当接した場合でも、ブレ補正移動枠１４０は、ガイド部１１２を含むベース部１１０の内径側面とは、接触しない。また、レンズ枠１３０も、ベース部１１０に設けられたガイド部１１２とは接触しない。
【００４１】
この状態において、手ブレ等による光学系の振動等によって像ブレが生じた場合に、公知のブレ補正制御によって像ブレの補正を行う。すなわち、第１位置センサ１４２ａおよび第２位置センサ１４２ｂが、ベース部１１０に対するブレ補正移動枠１４０のピッチング方向およびヨーイング方向のブレを検出する。そして、ブレ補正制御部（不図示）がブレ補正量を算出し第１アクチュエータ１４１ａ、第２アクチュエータ１４１ｂを駆動させることにより、ブレ補正移動枠１４０を光軸Ｏと略直交する方向に駆動して、ピッチング方向およびヨーイング方向のブレ補正を行う。
【００４２】
次に、本実施の形態にかかるレンズ鏡筒が沈胴動作を開始すると、沈胴動作に付随して、ベース部１１０とともにブレ補正移動枠１４０が光軸Ｏに沿う方向に移動されることにより、カム面１３２ｂがカムピン１５０に押圧される。前述のように、カム面１３２ｂは，光軸Ｏに沿う方向の高さがレンズ枠回転穴１３２ａの周回りの角度に応じて連続的に変化している。このため、カム面１３２ｂがカムピン１５０に押圧されると、図２−２に示すように、レンズ枠１３０のフレーム部１３２が付勢部材１４４の付勢力が働く方向とは逆の方向（図の矢印イの方向）に回転され、レンズ保持部１３１がブレ補正移動枠１４０の当付け部１４０ａから離れていく。
【００４３】
そして、レンズ保持部１３１の外周面が、ブレ補正移動枠１４０の当付け部１４０ａから一定距離離れたところで、今度はベース部１１０のガイド部１１２のガイド面１１２ａと接触する。ガイド面１１２ａは、光軸Ｏに沿う方向に延びる平面になっている。このため、レンズ保持部１３１の外周面は、ガイド面１１２ａとの接触後（光軸方向から見た場合は、レンズ保持部１３１の外周面とガイド面１１２ａとの点接触になる）、ガイド面１１２ａに対して押し付けられた状態で摺動しながら光軸Ｏの位置から退避する。
【００４４】
このため、退避動作中、レンズ保持部１３１はガイド面１１２ａからの反力を受ける。よって、レンズ枠回転軸を光軸Ｏから離れる方向（図面の右下方向）に移動させることで、レンズ枠１３０が光軸Ｏから離れる方向（図面の右下方向）に移動される。また、この反力が、フレーム部１３２を介してブレ補正移動枠１４０に伝わり、ブレ補正移動枠１４０をガイド面１１２ａに対して略直交する方向へ移動させることになることで、ブレ補正移動枠１４０の当付け部１４０ａが光軸Ｏから離れる方向（図面の下方向）に移動される
（図２−３を参照）。
【００４５】
図２−３に示すように、本実施の形態にかかるレンズ鏡筒では、フレーム部１３２の中心線１３２ｃとガイド面１１２ａとが略直交する位置までレンズ保持部１３１が退避した状態で、ブレ補正移動端ボス１１１がブレ補正移動端１４６の左上縁部に当接することでレンズ枠１３０の移動は停止されつつブレ補正移動枠１４０の位置決めがなされ、この状態はレンズ鏡筒の沈胴状態まで維持される。レンズ鏡筒が沈胴状態になっても、レンズ保持部１３１がベース部１１０の内径側面と接触することはない。このため、レンズ保持部１３１の退避時の移動量を抑制することができ、レンズ鏡筒の径方向の肥大化を回避することができる。
【００４６】
前述のように、本実施の形態にかかるレンズ鏡筒では、レンズ保持部１３１の退避方向とは異なる方向にブレ補正移動枠１４０を移動させることができるため、レンズ保持部１３１の退避時の移動量を抑制しても、ブレ補正移動枠１４０とレンズ保持部１３１との間に、ブレ補正光学系１２０以外の非退避レンズ群の一部を収容するのに十分なスペースを形成することができる。そこで、このスペースに非退避レンズ群の一部を収容することで、撮影可能状態から非撮影状態への移行が完了する。
【００４７】
以上説明したように、本実施の形態にかかるレンズ鏡筒では、ブレ補正移動枠１４０がベース部１１０に支持され、それらは一体的に光軸Ｏに沿う方向に移動するため、ブレ補正移動枠１４０の光軸Ｏに沿う方向の移動を案内する案内部材を別途設ける必要がない。このため、レンズ鏡筒の構成の簡略化を図ることができる。加えて、撮影光学系の光路から退避させるブレ補正光学系１２０の移動量を抑制することで、レンズ鏡筒の径方向の肥大化を回避することができる。
【００４８】
また、本実施の形態にかかるレンズ鏡筒では、沈胴動作に付随して、ブレ補正光学系１２０を保持するレンズ保持部１３１が、ベース部１１０に設けられたガイド部１１２のガイド面１１２ａに対して摺動しながら光路から退避するので、ブレ補正光学系１２０の退避軌道が安定する。すなわち、レンズ鏡筒の沈胴動作の諸段階に対するブレ補正光学系１２０の位置が一意的となる。したがって、ブレ補正光学系１２０の位置を検出するセンサ等を設け、ブレ補正光学系１２０の位置を把握しながらブレ補正光学系１２０以外の非退避レンズ群の移動を制御しなくても、沈胴動作時におけるブレ補正光学系１２０と非退避レンズ群との接触を確実に回避することができる。よって、レンズ鏡筒の構成の簡易化を図りながら、レンズ鏡筒の伸長・沈胴動作をスムーズに行えるようになる。
【００４９】
また、本実施の形態にかかるレンズ鏡筒では、退避時のブレ補正光学系１２０の移動量は少なくなっているが、レンズ保持部１３１が受けるガイド面１１２ａからの反力により、ブレ補正移動枠１４０を光軸Ｏから離れる方向に移動させることができる。このため、レンズ鏡筒の径方向を大きくすることなく、沈胴時に非退避レンズ群の一部を収容するスペースを十分に確保することができる。
【００５０】
また、本実施の形態にかかるレンズ鏡筒では、ブレ補正移動端ボス１１１がブレ補正移動端１４６の縁部に当接することで、ベース部１１０に対するブレ補正移動枠１４０の移動範囲が規制され、ブレ補正移動枠１４０の位置決めがなされる。これにより、ブレ補正移動枠１４０がガイド部１１２を含むベース部１１０の内径側面と接触することを回避するとともに、撮影可能状態におけるレンズ保持部１３１とガイド部１１２との接触を回避することができる。このようにすることで、撮影可能状態におけるブレ補正移動枠１４０およびレンズ枠１３０の光軸Ｏに対して略直交する方向への移動が、ベース部１１０の干渉を受けることがなく、良好なブレ補正を行うことができる。
【００５１】
また、本実施の形態にかかるレンズ鏡筒では、ブレ補正制御を除き、撮影状態と非撮影状態との切替えを実行する場合以外は、電気的に制御する必要はないので、省電力化を図ることができる。
【産業上の利用可能性】
【００５２】
以上のように、本発明にかかるレンズ鏡筒は、小型化が要求される各種撮像装置に有用であり、特に、レンズの外径方向の小型化が要求される撮像装置に適している。
【符号の説明】
【００５３】
１００  ブレ補正光学系退避機構
１１０  ベース部
１１１  ブレ補正移動端ボス（被規制部）
１１２  ガイド部
１１２ａ  ガイド面（摺動面）
１２０  ブレ補正光学系（シフトレンズ）
１３０  レンズ枠
１３１  レンズ保持部
１３２  フレーム部
１３２ａ  レンズ枠回転穴
１３２ｂ  カム面
１３２ｃ  中心線
１４０  ブレ補正移動枠（可動部）
１４０ａ  当付け部（当接部）
１４１ａ  第１アクチュエータ
１４１ｂ  第２アクチュエータ
１４２ａ  第１位置センサ
１４２ｂ  第２位置センサ
１４３  レンズ枠回転軸
１４４  付勢部材
１４５  ばね止め
１４６  ブレ補正移動端（規制部）
１５０  カムピン
Ｏ  光軸
【図１】
2014126714.tif 000003
【図２−１】
2014126714.tif 000004
【図２−２】
2014126714.tif 000005
【図２−３】
2014126714.tif 000006